(57)【要約】【課題】  屋内の壁が木材に比して脆弱な材質から形成されている場合であっても、前記固定部材を用いて壁面の所要の位置に安定的かつ確実に固定することのできる光ローゼットの提供。【解決手段】  入力用光ケーブル１３と出力用光ケーブル１４とを接続するための光ローゼット１０は、周壁部２４の所要部位に該所要部位から底部２３へ向かって下り勾配に延び、筐体１１を固定するための固定部材５２，５３の、周壁部２４の所要部位の外側からの挿入抜脱が可能である第１挿通案内手段４１，４６を備えている。挿通案内手段４１，４６は、少なくとも、周壁部２４の該所要部位の外側から該所要部位内へ貫通する第１案内部４２と、底部２３の内面から外側へ貫通する第２案内部４５とを含むものである。【選択図】図２
2010191391.tif 000002
【特許請求の範囲】
【請求項１】
筐体本体とこれに開閉可能な蓋とから形成される筐体を備え、前記筐体本体が底部と周壁部とから形成され、入力用光ケーブルと出力用光ケーブルとを接続するための光ローゼットにおいて、
前記周壁部の所要部位に前記所要部位から前記底部へ向かって下り勾配に延び、前記筐体を固定するための固定部材の、前記周壁部の前記所要部位の外側からの挿入抜脱が可能である第１挿通案内手段を備え、
前記第１挿通案内手段は、少なくとも、前記周壁部の前記所要部位の外側から前記所要部位内へ貫通する第１案内部と、前記底部の内面からその外側へ貫通する第２案内部とを含むことを特徴とする光ローゼット。
【請求項２】
前記第１挿通案内手段は、前記第１及び第２案内部の間に位置していて、前記第１及び第２案内部に連なる連通部をさらに含む請求項１記載の光ローゼット。
【請求項３】
第２挿通案内手段をさらに備え、前記第２挿通案内手段は、前記第１案内部と隣接して連通し、前記周壁部の前記所要部位をその高さ方向へ貫通する貫通孔によって形成されている請求項１又は２記載の光ローゼット。
【請求項４】
前記第１案内部は前記周壁部の前記所要部位を貫通する孔であり、前記第２案内部は前記底部を貫通する孔であり、前記連通部は、前記周壁部の延びる方向に対向する離間する一対の案内リブで形成されている請求項２記載の光ローゼット。
【請求項５】
前記第１挿通案内手段及び／又は前記第２挿通案内手段は、前記周壁部の所要複数部位に設けられている請求項３記載の光ローゼット。
【請求項６】
前記周壁部の外周面に前記外周面に沿って延びる段差部が形成されており、前記第１案内部の上端面開口が前記段差部に形成されている請求項１〜５記載の光ローゼット。
【請求項７】
前記蓋の閉じた状態において、前記蓋の下端周縁部が、前記筐体本体の前記周壁部の前記段差部と離間対向しており、前記固定部材の頭部が、前記蓋の前記下端周縁部に当接可能である請求項６に記載の光ローゼット。
【発明の詳細な説明】
【技術分野】
【０００１】
本発明は、光ケーブルどうしを光学的に接続するための屋内用光ローゼットに関し、特に筐体に関する。
【背景技術】
【０００２】
従来、屋外から屋内に導かれた入力用光ケーブルと、屋内の機器に接続する出力用光ケーブルとを光学的に接続するための光ローゼットは公知である。例えば、特許文献１には、筐体と、筐体と離脱可能に嵌合する蓋とから形成され、入力用光ケーブルと出力用光ケーブルとをコネクタソケットを介して光学的に接続し、かつそれらを収納する光ローゼットが開示されている。
【先行技術文献】
【特許文献】
【０００３】
【特許文献１】特開２００８−２８７０８１号公報
【発明の概要】
【発明が解決しようとする課題】
【０００４】
特許文献１に開示の光ローゼットによれば、その筐体内に入出力用コネクタプラグおよびコネクタソケットを安全かつコンパクトに収納することができ、また、その筐体は、木材で作られた屋内の壁面にネジ止めすることによって確実に固定することができる。
【０００５】
しかし、壁面が木材よりも硬度の低い石膏ボード等からの脆弱な材質で形成されている場合には、ねじをねじ込むと、壁面のその部分が崩れ、光ローゼットを確実かつ安定的に壁面に固定することができない。
【０００６】
本発明の課題は、屋内の壁が木材に比して脆弱な材質から形成されている場合であっても、前記固定部材を用いて壁面の所要の位置に安定的かつ確実に固定することのできる光ローゼットを提供することにある。
【課題を解決するための手段】
【０００７】
前記課題を解決するために、本発明は、筐体本体とこれに開閉可能な蓋とから形成される筐体を備え、前記筐体本体が底部と周壁部とから形成され、入力用光ケーブルと出力用光ケーブルとを接続するための光ローゼットの改良に関わる。
【０００８】
本発明の特徴とするところは、前記周壁部の所要部位に前記所要部位から前記底部へ向かって下り勾配に延び、前記筐体を固定するための固定部材の、前記周壁部の前記所要部位の外側からの挿入抜脱が可能である第１挿通案内手段を備え、前記第１挿通案内手段は、少なくとも、前記周壁部の前記所要部位の外側から前記所要部位内へ貫通する第１案内部と、前記底部の内面からその外側へ貫通する第２案内部とを含むことにある。
【０００９】
本発明は、前記特徴とする構成のほかに、以下の好ましい実施の形態を含む。
（１）前記第１挿通案内手段は、前記第１及び第２案内部の間に位置していて、前記第１及び第２案内部に連なる連通部をさらに含む。
（２）第２挿通案内手段をさらに備え、前記第２挿通案内手段は、前記第１案内部と隣接して連通し、前記周壁部の前記所要部位をその高さ方向へ貫通する貫通孔によって形成されている。
（３）前記第１案内部は前記周壁部の前記所要部位を貫通する孔であり、前記第２案内部は前記底部を貫通する孔であり、前記連通部は、前記周壁部の延びる方向に対向離間する一対の案内リブで形成されている。
（４）前記第１挿通案内手段及び／又は前記第２挿通案内手段は、前記周壁部の所要複数部位に設けられている。
（５）前記周壁部の外周面に前記外周面に沿って延びる段差部が形成されており、前記第１案内部の上端面開口が前記段差部に形成されている。
（６）前記蓋の閉じた状態において、前記蓋の下端周縁部が、前記筐体本体の前記周壁部の前記段差部と離間対向しており、前記固定部材の頭部が、前記蓋の前記下端周縁部に当接可能である。
【発明の効果】
【００１０】
本発明では、光ローゼットが、筐体本体の周壁部に形成された、底部へ向かって下り勾配に延びる第１案内部と、ピンや釘などの固定部材が第１案内部を通って底部を貫通するように斜めに延びる第２案内部とから構成された、固定部材を案内するための第１挿通案内手段を有しているので、固定部材を壁面に対して斜めに打ち付けることができ、壁面が石膏ボード等の比較的に硬度の低い脆弱な材質で形成されている場合であっても、光ローゼットを壁面の所要の位置に確実に固定することができる。
【図面の簡単な説明】
【００１１】
【図１】光ローゼットの斜視図。
【図２】光ローゼットの部分破断分解斜視図。
【図３】図２のＩＩＩ−ＩＩＩ線断面図。
【図４】（ａ）使用状態における図３と同様の断面図。（ｂ）他の実施形態における図３と同様の断面図。
【発明を実施するための形態】
【実施例１】
【００１２】
図１は、光ローゼット１０の斜視図、図２は、光ローゼット１０の筐体本体１１ａと蓋１１ｂとを分離した状態を示す部分破断分解斜視図、図３は、図２のＩＩＩ−ＩＩＩ線断面図である。図２では、入力用光ケーブル１３と、出力用光ケーブル１４と、入力用光ケーブル１３のコネクタプラグ１５と、出力用光ケーブル１４のコネクタプラグ１６と、コネクタソケット１７とが仮想線で示されている。
【００１３】
図１に示すとおり、光ローゼット１０は、幅方向Ｘと、幅方向Ｘと直交する長手方向Ｙと、幅方向Ｘ及び長手方向Ｙとに直交する高さ（深さ）方向Ｚとを有し、筐体本体１１ａと、筐体本体１１ａと分離可能に嵌合される蓋１１ｂとからなる筐体１１を含み、互いに並行して幅方向Ｘへ延びる第１及び第２端部１０ａ，１０ｂと、互いに並行して長手方向Ｙへ延びる第１及び第２側縁部１０ｃ，１０ｄとによってほぼ直方形に画成されている。ただし、筐体１１は、図示されていないが、必要に応じて、その形状、例えば、全体がほぼ正方形、隅角部が比較的大きい円弧等に形成されていてもよい。
【００１４】
第１端部１０ａには、出力用光ケーブル１４のコネクタプラグ１６が進入退出可能な挿入口１８が形成されており、挿入口１８にコネクタプラグ１６が挿入されている。また、蓋１１ｂには、幅方向へ延びる孔２０が形成されており、孔２０に沿って孔２０を幅方向Ｘへ往復可能なスライド２１が露出している。
【００１５】
図２に示すとおり、筐体本体１１ａは、底部２３と、底部２３の周縁から高さ方向Ｚ（３次元方向）へ突出する周壁部２４とから形成されている。周壁部２４は、互いに並行して幅方向Ｘへ延びる第１及び第２端壁部２４ａ，２４ｂと、第１及び第２端壁部２４ａ，２４ｂ間において、互いに並行して長手方向Ｙへ延びる第１及び第２側壁部２４ｃ，２４ｄとを有する。
【００１６】
蓋１１ｂは、ほぼ長形の頂部２５と、頂部２５の周縁から高さ方向Ｚへ突出する周壁部２６とから形成されている。周壁部２６は、互いに並行して幅方向Ｘへ延びる第１及び第２端壁部２６ａ，２６ｂと、第１及び第２端壁部２６ａ，２６ｂ間において、互いに並行して長手方向Ｙへ延びる第１及び第２側壁部２６ｃ，２６ｄとを有する。また、第１端壁部２６ａには挿入口１８の一部を形成する凹欠２７が形成されており、第２側壁部２６ｄには、切欠２８が形成されている。
【００１７】
筐体本体１１ａの第１端壁部２４ａの第２側壁部２４ｄ寄りには、蓋１１ｂの凹欠２７とともに前記挿入口１８を形成する開口２９が形成されており、また、第１端壁部２４ａの内側には、前記挿入口１８を開閉するための幅方向Ｘへスライド可能なシャッター３０が配置されている。シャッター３０の上面からはスライド２１が延出しており、前述のとおり、蓋１１ｂの孔２０からスライド２１が露出しているので、蓋１１ｂの閉じた状態であっても、蓋１１ｂの外側からスライド２１を操作者がその指で操作することによって、シャッター３０を開閉することができる。
【００１８】
第１側壁部２４ｃの第２端壁部２４ｂ寄りには、入力用光ケーブル１３を挿入するための切欠３１（３１ａ）が形成されている。切欠３１は、第１側壁部２４ｃのほかに、第１端壁部２４ａの第１側壁部２４ｃ寄りと、第２端壁部２４ｂの第２側壁部２４ｄ寄りとにそれぞれ形成されており、いずれの切欠３１ａ，３１ｂ，３１ｃからも入力用光ケーブル１３を挿通することができ、入力用光ケーブル１３の配線の位置などに応じて、適宜、適当な切欠３１ａ，３１ｂ，３１ｃを選択することができる。
【００１９】
底部２３には、底部２３から高さ方向Ｚへ突出する、ほぼ円弧状の入力用光ケーブル案内部３３と、第２側壁部２４ｄと幅方向Ｘにおいて離間対向し、長手方向Ｙへ延びる直線状の入力用ケーブル案内部３４と、入力用ケーブル案内部３４と長手方向Ｙにおいて離間して延びるコネクタソケット支持部３５とが形成されている。また、周壁部２４の周縁３６と、シャッター３０を収納する内壁と、入力用光ケーブル案内部３３，３４とには、入力用光ケーブル１３の浮き上がりを防止するためのほぼ先丸形状の抑え部３７ａ，３７ｂ，３７ｃ，３７ｄ，３７ｅが筐体本体１１ａの中央部へ向かって延出している。第１側壁部２４ｃの切欠３１ａから筐体本体１１ａの内部に挿通された入力用光ケーブル１３は、入力用光ケーブル案内部３３に巻回されて、直線状の入力用光ケーブル案内部３４に沿って第２側壁部２４ｄの側に延びており、入力用光ケーブル案内部３４と第２側壁部２４ｄとの間にコネクタプラグ１５が位置している。
【００２０】
入力用光ケーブル１３のコネクタプラグ１５は、コネクタソケット支持部３５と第２側壁部２４ｄとの間に嵌合されたコネクタソケット１７内に挿入されている。コネクタソケット１７のコネクタプラグ１５が挿入されている側の反対側には、挿入口１８から挿入された出力用光ケーブル１４のコネクタプラグ１６が挿入されており、入力用光ケーブル１３のコネクタプラグ１５と出力用光ケーブル１４のコネクタプラグ１６とは、コネクタソケット１７内において接続されている。
【００２１】
図２及び図３に示すとおり、光ローゼット１０は、筐体本体１１ａに、後記固定部材５２，５３のための挿通案内手段４１，４６を備えている。一方の挿通案内手段４１（第２挿通案内手段）は、筐体本体１１ａと蓋１１ｂとの嵌合状態において、蓋１１ｂの周壁部２６の下端周縁部３８と高さ方向Ｚに離間対向する段差部３９のうち、第１及び第２側壁部２４ｃ，２４ｄの段差部３９の上端部とそれら側壁部の下端面とにそれぞれ開口し、それらの側壁部を高さ方向Ｚへ貫通する貫通孔によって形成されている。第１及び第２側壁部２４ｃ，２４ｄは、段差部３９から下方において肉厚になっている。
【００２２】
もう一方の挿通案内手段４６（第１挿通案内手段）は、第１及び第２側壁部２４ｃ，２４ｄそれぞれの段差部３９の第２挿通案内手段４１の上端面開口と開口を共有し、底部２３の下面に開口し、第２挿通案内手段４１の前記上端面開口から底部２３へ下り勾配で、すなわち、底部２３の平面（２次元方向に沿う平面）に対し所要角度で交差する方向へ延びるように形成されている。
【００２３】
第１挿通案内手段４６は、第１及び第２側壁部２４ｃ，２４ｄそれぞれを貫通する第１案内部４２と、底部２３を貫通する第２案内部４５と、第１及び第２案内部４２，４５の間に位置する連通部４４とを有する。連通部４４は、第２挿通案内手段４１である貫通孔並びに第１及び第２案内部４２，４５に連通している。連通部４４は、第１及び第２側壁部２４ｃ，２４ｄそれぞれの内面と底部２３の内面とが交差して形成される角部に、それぞれ第１及び第２側壁部２４ｃ，２４ｄから底部２３へ向かって下り勾配に延び、長手方向Ｙに対向離間して並列する一対の案内リブ４３で画成されている。したがって、筐体本体１１ａの内部で開口する溝の形状を形成するが、その開口を有しない形状（その開口面が閉じている形状）に形成されていてもよいし、案内リブ４３が全く形成されていなくてもよい。
【００２４】
第１挿通案内手段４６の延びる方向と直交する断面内径又は直交方向に対向離間する両内面は、後記固定部材５２，５３の挿抜を許容する寸法に形成されている。第２挿通案内手段４１の延びる方向と直交する断面内径は、第１挿通案内手段４６の前記寸法よりも適宜大きく形成されている。
【００２５】
筐体本体１１ａと蓋１１ｂとを閉じると、蓋１１ｂの周壁部２６の内周面が筐体本体１１ａの周壁部２４の外周面に接し、周壁部２６の下端周縁部３８と段差部３９との間に筐体本体１１ａの外周面に延びる隙間が形成される。また、蓋１１ｂの周壁部２６の下端周縁部３８からさらに外方へ延びる突出部４７ａ，４７ｂ，４７ｃが、筐体本体１１ａの周壁部２４に形成された切欠３１ａ，３１ｂ，３１ｃに挿入されるとともに、蓋１１ｂの周壁部２６の内面から内方に突出した係合突起４８が、筐体本体１１ａの周壁部２４の外面に形成された係合凹部４９，５０に離脱可能に係合されるので、筐体本体１１ａに蓋１１ｂをより確実に嵌合させることができる。
【００２６】
図２では、筐体本体１１ａの第２側壁部２４ｄの外面に形成された係合凹部４９，５０のみが示されているが、係合凹部４９，５０は第１側壁部２４ｃの外面にも形成されており、蓋１１ｂの係合突起４８もまた、それぞれの係合凹部４９，５０に対応して蓋１１ｂの第２側壁部２６ｄ側にも形成されている。
【００２７】
閉じた蓋１１ｂを筐体本体１１ａから外すときには、蓋１１ｂの第２側壁部２６ｄに形成された切欠２８にマイナスドライバーなどの工具を挿入し、蓋１１ｂを弾性変形させることによって、係合突起４８と係合凹部４９，５０との係合を解除する。これにより、蓋１１ｂを持ち上げるだけで、蓋１１ｂを筐体本体１１ａから容易に取り外すことができる。
【００２８】
図４（ａ），（ｂ）は、光ローゼット１０を壁面５１に固定するためのピンや釘等のロッド状の固定部材５２，５３が壁面５１に打ち付けられた状態を示す図３と同様の断面図である。なお、図３において仮想線で示されている入力用光ケーブル１３のコネクタプラグ１５は、便宜上省略している。
【００２９】
図４（ａ）では、第１及び第２側壁部２４ｃ，２４ｄの第２挿通案内手段４１に挿入された固定部材５２，５３が壁面５１に対して斜めに、すなわち、固定部材５２，５３と壁面５１とのなす角度（α，β）が鋭角となるように打ち付けられている。このように固定部材５２，５３が壁面５１に対して互いに交差する方向へ斜めに打ち付けられているので、壁面５１がたとえ比較的に硬度の低い石膏ボードなどの脆弱な材質から形成されている場合であっても、光ローゼット１０が自重や外部からの衝撃によって、壁面５１の所定の位置からずり下がったり、ずり落ちることはない。また、蓋（仮想線で示す）１１ｂが閉じられている状態では、固定部材５２，５３の平面状の頭部５２ａ，５３ａの一部が、凹状部４０に当接するとともに、蓋１１ｂの下端周縁部３８に当接し、それらに挟持されているので、固定部材５２，５３が壁面５１から不用意に抜けることはない。
【００３０】
図４（ｂ）では、第１案内部４２から挿入された固定部材５２，５３が、連通部４４を通って、底部２３の第２案内部４５に挿通されている。この態様の場合には、第１案内部４２と第２案内部４５とが壁面５１に対して斜めに延びているので、固定部材５２，５３が壁面５１に対し、図４（ａ）の態様よりもさらに斜めに（α’，β’＝約４５度）打ち付けられている。これにより、光ローゼット１０の自重や使用中の外部からの衝撃よりもさらに大きな力であって、光ローゼット１０を壁面５１から取り外そうとする比較的に強い力が加わっても、固定部材５２，５３が壁面５１から容易に抜けることはない。
【００３１】
このように、操作者が自由に選択して、第１及び第２挿通案内手段４１，４６のいずれかに固定部材５２，５３を挿入することによって、光ローゼット１０を壁面５１に固定することができる。しかし、固定部材５２，５３の頭部５２ａ，５３ａが壁面５１に対して斜めになればなる程に、指や工具によって固定部材５２，５３を壁面５１に打ち付け難くなるので、壁面５１の硬度などによって、適宜、適当な孔を選択することができる。
【００３２】
本実施例では、第１及び第２側壁部２４ｃ，２４ｄにおいて、第１及び第２挿通案内手段４１，４６が幅方向Ｘにおいてほぼ並行する位置に形成されているが、それらを並行とならないように互い違いに配置してもよい。また、第１及び第２側壁部２４ｃ，２４ｄではなく、長手方向Ｙにおいて離間対向するように、第１及び第２端壁部２４ａ，２４ｂに第１及び第２挿通案内手段４１，４６を形成してもよい。さらにまた、第１及び第２側壁部２４ｃ，２４ｄ、第１及び第２端壁部２４ａ，２４ｂの所要複数部に第１及び第２挿通案内手段４１，４６を形成してもよい。
【００３３】
特に、第１及び第２側壁部２４ｃ，２４ｄと、少なくとも第１及び第２端壁部２４ａ，２４ｂのいずれか一方に第１及び第２挿通案内手段４１，４６（３カ所以上）を形成することが好ましい。この場合には、固定部材５２，５３によって光ローゼット１０を幅方向Ｘのみならず長手方向Ｙにおいて安定的に固定することができる。
【００３４】
なお、案内リブ４３は、固定部材５２，５３を筐体本体１１ａ内で確実に固定するために、長手方向Ｙへの動きを規制したり、筐体本体１１ａ内の入力用光ケーブル１３等に固定部材５２，５３が直接当接することのないように保護するためのものであって、固定部材５２，５３を筐体本体１１ａ内部で斜めに打ち付けるために必須の構成要素ではない。よって、固定部材５２，５３を壁面５１に対して斜めに打ち付けるためには、第１案内部４２と第２案内部４５とからなる第１挿通案内手段４６が形成されていればよい。案内リブ４３は、ほぼ三角状に形成されているが、四角形などの矩形や湾曲形状などの他の形状であってもよいし、筐体本体１１ａを形成する部材とは異なる部材によって形成してもよい。
【００３５】
また、第１案内部４２と第２案内部４５とを壁面５１に対してより斜めになるように形成することによって、固定部材５２，５３と壁面５１とがなす角度（α，α’，β，β’）を４５度よりも小さくしてもよい。さらに、固定部材５２，５３を幅方向Ｘの内方ではなく、互いに幅方向Ｘの外方へ向かって傾斜させてもよい（この場合には、各角度α，α’，β，β’は鈍角となる）。
【符号の説明】
【００３６】
１０    光ローゼット
１１    筐体
１１ａ  筐体本体
１１ｂ  蓋
１３    入力用光ケーブル
１４    出力用光ケーブル
２３    底部
２４    周壁部
３８    蓋の下端周縁部
３９    段差部
４０    凹状部
４１    第２挿通案内手段
４２    第１案内部
４３    案内リブ
４４    連通部
４５    第２案内部
４６    第１挿通案内手段
５２，５３      固定部材
５２ａ，５３ａ  固定部材の頭部
Ｘ      幅方向
Ｙ      長手方向
Ｚ      高さ方向
【図１】
2010191391.tif 000003
【図２】
2010191391.tif 000004
【図３】
2010191391.tif 000005
【図４】
2010191391.tif 000006